(57)【特許請求の範囲】
【請求項１】
天井面に亘って固設した金属製プレートと、
木材又は段ボールを成形して、矩形状平面板としたパネル本体と、前記パネル本体の上端部に幅方向に複数又は幅方向に亘って固着した磁性部材と、前記パネル本体の下端部にパネル本体の下端面と床面との距離を適宜調整するべく配設した支持部材と、前記パネル本体の側端部に高さ方向に複数固着した磁性部材と、から構成される間仕切りパネルと、
から構成され、
天井面の適宜位置に前記間仕切りパネルの上端部を磁着すると共に、間仕切りパネルの側端部同士を磁着することによって、間仕切りパネルを複数連結して形成したことを特徴とする間仕切り構造。
【請求項２】
前記段ボールは、高強度複層段ボール構造体であることを特徴とする請求項１に記載の間仕切り構造。
【請求項３】
前記支持部材は、台座付きシャフトと、これに螺合させた調整ナットと、から構成されることを特徴とする請求項１又は２に記載の間仕切り構造。
【請求項４】
上端部にローラを回転可能に支持し、木材又は段ボールを成形して矩形状平面板としたパネル本体と、上端部に磁性部材を固着すると共に、下端部に案内溝部を形成した上枠部材と、から構成され、前記案内溝部内に前記ローラが転動自在に配置された上枠付き間仕切りパネルを構成し、
前記間仕切りパネルを複数連結して形成した間仕切り構造の適宜位置に、前記上枠付き間仕切りパネルを配設して出入口を形成したことを特徴とする請求項１乃至３の何れかに記載の間仕切り構造。
【請求項５】
前記上枠付き間仕切りパネルは、そのパネル本体の下端部に凹部を形成し、この凹部内に揺動防止部材を配設したものであることを特徴とする請求項４に記載の間仕切り構造。
【請求項６】
木材又は段ボールを成形して、矩形状平面板としたパネル本体と、前記パネル本体の上端部に幅方向に複数又は幅方向に亘って固着した磁性部材と、前記パネル本体の下端部にパネル本体の下端面と床面との距離を適宜調整するべく配設した支持部材と、前記パネル本体の側端部に高さ方向に複数固着した磁性部材と、から構成したことを特徴とする間仕切りパネル。
【請求項７】
前記段ボールは、高強度複層段ボール構造体であることを特徴とする請求項６に記載の間仕切りパネル。
【請求項８】
前記支持部材は、台座付きシャフトと、これに螺合させた調整ナットと、から構成されることを特徴とする請求項６又は７に記載の間仕切りパネル。
【請求項９】
上端部にローラを回転可能に支持し、木材又は段ボールを成形して矩形状平面板としたパネル本体と、上端部に磁性部材を固着すると共に、下端部に案内溝部を形成した上枠部材とから構成され、前記案内溝部内に前記ローラが転動自在に配置されたことを特徴とする上枠付き間仕切りパネル。
【請求項１０】
前記パネル本体の下端部に凹部を形成し、この凹部内に揺動防止部材を配設したことを特徴とする請求項９に記載の上枠付き間仕切りパネル。
【発明の詳細な説明】
【技術分野】
【０００１】
本発明は、マンション、アパート等の共同住宅の各居住室内における空間を居住者自身が容易に区画し、多用途に利用することができる間仕切り構造及びこれに適用される間仕切りパネルに関する。
【背景技術】
【０００２】
従来、マンション、アパート等の共同住宅において、居住室内における空間を使用目的に沿って有効に利用するために、居住空間を適宜空間に区画することが行われている。
その場合、居住者が入居する前に、又は、入居後に一時的に退去した際に、建築業者等の専門業者によって、居住空間に床面と天井面に亘る間仕切壁を構築したり、鴨居と敷居を付設し、襖又は障子を設置して、居住空間を適宜空間に区画していた。
【０００３】
しかし、間仕切壁を構築したり、襖又は障子を設置する場合には、居住者が居住している間には施工することができず、又、居住空間内に自由な間取りを実現することはできなかった。
そこで、居住者が居住している間に施工することができ、又、比較的に自由な間取りを実現することができるよう、居住空間を仮設的に間仕切りする構造が提案されている（例えば、特許文献１又は２を参照）。
【先行技術文献】
【特許文献】
【０００４】
【特許文献１】特開２００８−２９７７８６号公報
【特許文献２】実用新案登録第３１３５７３７号公報
【発明の概要】
【発明が解決しようとする課題】
【０００５】
上記特許文献１に記載された間仕切り方法は、段ボール製のパネル連結部材２と段ボール製のコーナー部材４ａとを使用し、段ボール製のパネル５をコーナー部材４ａによって立設し、パネル連結部材２によって連結することによって、居住空間を適宜空間に区画するものである。
【０００６】
上記特許文献２に記載された間仕切り方法は、天井面に面ファスナー１を固定すると共に、ビニールシート２の上辺と左右側辺に面ファスナー５を固着し、面ファスナー５と面ファスナー１，５とを貼着させ、ビニールシート２を天井面から垂下させ、連結することによって、居住空間を適宜空間に区画するものである。
【０００７】
しかし、特許文献１，２に記載されたものは、簡単な構造とは言え、建築業者等の専門業者が施工しなければならず、即時に施工できるものではなく、又、自由な間取りを実現するとしても、かなり制限的なものにならざるを得なかった。
【０００８】
又、特許文献１，２に記載されたものは、居住空間をあくまでも仮設的に間仕切りするものであって、比較的長期間に亘って居住区間を区画できて、居住者が居住しても違和感を覚えないものではなかった。
【０００９】
本発明は、かかる問題点を解決するために為されたものであって、専門業者が施工する必要はなく、即時に施工することができ、又、自由な間取りを実現することができ、しかも、比較的長期間に亘って居住区間を区画できて、居住者が違和感を覚えない間仕切り構造を提供することを目的とする。又、その間仕切り構造に適用される間仕切りパネルを提供することをも目的とする。
【課題を解決するための手段】
【００１０】
上記目的を達成するために、本発明の間仕切り構造は、
天井面に亘って固設した金属製プレートと、
木材又は段ボールを成形して、矩形状平面板としたパネル本体と、前記パネル本体の上端部に幅方向に複数又は幅方向に亘って固着した磁性部材と、前記パネル本体の下端部にパネル本体の下端面と床面との距離を適宜調整するべく配設した支持部材と、前記パネル本体の側端部に高さ方向に複数固着した磁性部材と、から構成される間仕切りパネルと、
から構成され、
天井面の適宜位置に前記間仕切りパネルの上端部を磁着すると共に、間仕切りパネルの側端部同士を磁着することによって、間仕切りパネルを複数連結して形成したことを特徴とするものである。
【００１１】
ここで、前記段ボールは、高強度複層段ボール構造体であるのが好ましい。
【００１２】
又、前記支持部材は、台座付きシャフトと、これに螺合させた調整ナットと、から構成してもよい。
【００１３】
さらに、上端部にローラを回転可能に支持し、木材又は段ボールを成形して矩形状平面板としたパネル本体と、上端部に磁性部材を固着すると共に、下端部に案内溝部を形成した上枠部材と、から構成され、前記案内溝部内に前記ローラが転動自在に配置された上枠付き間仕切りパネルを構成し、
前記間仕切りパネルを複数連結して形成した間仕切り構造の適宜位置に、前記上枠付き間仕切りパネルを配設して出入口を形成してもよい。
【００１４】
ここで、前記上枠付き間仕切りパネルは、そのパネル本体の下端部に凹部を形成し、この凹部内に揺動防止部材を配設したものであるのが好ましい。
【００１５】
上記目的を達成するために、本発明の間仕切りパネルは、木材又は段ボールを成形して、矩形状平面板としたパネル本体と、前記パネル本体の上端部に幅方向に複数又は幅方向に亘って固着した磁性部材と、前記パネル本体の下端部にパネル本体の下端面と床面との距離を適宜調整するべく配設した支持部材と、前記パネル本体の側端部に高さ方向に複数固着した磁性部材と、から構成したことを特徴とする。
【００１６】
ここで、前記段ボールは、高強度複層段ボール構造体であるのが好ましい。
【００１７】
又、前記支持部材は、台座付きシャフトと、これに螺合させた調整ナットとから構成してもよい。
【００１８】
さらに、本発明の上枠付き間仕切りパネルは、上端部にローラを回転可能に支持し、木材又は段ボールを成形して矩形状平面板としたパネル本体と、上端部に磁性部材を固着すると共に、下端部に案内溝部を形成した上枠部材とから構成され、前記案内溝部内に前記ローラが転動自在に配置されたことを特徴とする。
【００１９】
ここで、前記パネル本体の下端部に凹部を形成し、この凹部内に揺動防止部材を配設するのが好ましい。
【発明の効果】
【００２０】
本発明の間仕切り構造によれば、間仕切りパネルを移動し、適宜位置に配置して固定するだけなので、専門業者が施工する必要がなく、居住者自身で即時に施工できると共に、居住室内にかなり自由な間取りを実現することができる。
【００２１】
又、比較的長期間に亘って居住区間を区画できる上、間仕切りパネルは木材又は段ボールによって構成されているので、居住者に違和感を覚えさせない和風情緒に溢れた居住空間を構成することができる。
【００２２】
そして、本発明の間仕切りパネルを本発明の間仕切り構造に適用すれば、上記のような効果を十分に奏することができる。
【図面の簡単な説明】
【００２３】
【図１】本発明の間仕切り構造を説明する図であって、間仕切りパネルの居住空間への設置状態を示す縦断面図である。
【図２】本発明の間仕切りパネルの縦断面図である。
【図３】本発明の間仕切りパネルの側端部の横断面図である。
【図４】本発明の間仕切りパネルを連結した状態を示す横断面図である。
【図５】本発明の間仕切りパネルを複数連結した状態を示す斜視図である。
【図６】本発明の間仕切り構造を採用して、居住空間を区画した一具体例を示す説明図である。
【図７】間仕切りパネルの正面図であって、（Ａ）、（Ｂ）及び（Ｃ）は、幅が相違するものである。
【図８】上枠付き間仕切りパネルの正面図であって、（Ａ）及び（Ｂ）は、幅が相違するものである。
【図９】上枠付き間仕切りパネルの縦断面図である。
【図１０】本発明の間仕切りパネルに上枠付き間仕切りパネルを連結した状態を示す斜視図である。
【図１１】図７に示す間仕切りパネルと図８に示す上枠付き間仕切りパネルとを適宜組み合せて設置した状態の平面図である。
【図１２】本発明の間仕切り構造を採用して、居住空間を区画した他具体例を示す説明図である。
【図１３】本発明の間仕切り構造を採用して、居住空間を自由に区画することができる具体例を示す説明図である。
【図１４】間仕切りパネルを設置する前における居住区間内の間取りの具体例を示す平面図である。
【図１５】間仕切りパネルを設置した後における居住区間内の間取りの具体例を示す平面図である。
【図１６】間仕切りパネルを設置した後における居住区間内の間取りの具体例を示す平面図である。
【発明を実施するための形態】
【００２４】
以下、本発明の間仕切り構造及び間仕切りパネルの好適な実施形態について、図面を参照しつつ詳細に説明する。
【００２５】
本発明の間仕切り構造は、天井面に固設した金属製プレートと、上端部に磁性部材を固着した間仕切りパネルと、から構成される。
【００２６】
マンション、アパート等の共同住宅において、各居住室１の天井部２を構築した後に、図１に示すように、天井面２ａに金属製プレート２１を固設する。
【００２７】
ここで、金属製プレート２１としては、磁石を吸着する金属製板材、特には、鉄鋼製板材を使用するのが好ましい。ステンレス鋼製板材を採用した場合には、防錆性が高いのでそのまま使用できるが、他の鉄鋼製板材を採用した場合には、防錆性を高めるため、及び装飾性を高めるため、その表面を塗装する、ビニルクロスを貼着する等、適宜表面処理を施すことが好ましい。
【００２８】
本発明の間仕切りパネル４は、図１及び図２に示すように、木材又は段ボールを成形して、矩形状平面板としたパネル本体４１から構成される。木材としては、極力軽量な材料を使用するのが好ましいが、単板又は合板の何れを使用してもよい。又、段ボールとしては、剛性を十分に確保するため、高強度複層段ボール構造体を使用するのが好ましい。
【００２９】
パネル本体４１の上端部には、図２に示すように、磁性部材４２をネジ等により締結して、固着してある。この磁性部材４２としては、円盤状磁石を採用して、パネル本体４１の幅方向に複数固着してもよく、長尺の薄板状磁石を採用して、パネル本体４１の幅方向に亘って固着してもよい。
磁性部材４２の材料としては、フェライト磁石、ネオジム磁石等、適宜磁石を採用して構わないが、特には、磁気エネルギーが高く、機械的強度にも優れるネオジム磁石を採用するのが好ましい。さらに、吸着力を高めるため、磁石を鉄鋼製キャップで包囲したキャップ磁石の形態で使用するのがより好ましい。
【００３０】
又、パネル本体４１の上端部に凹部を形成し、この凹部に磁性部材４２を嵌合、固着して、パネル本体４１の上端面と磁性部材４２の上端面とを面一にすれば、パネル本体４１の設置時、天井面２ａとの間に空隙が形成されず、密接するので、防音効果、保温効果等をより向上させることができ、好ましい。
【００３１】
一方、パネル本体４１の下端部には、図２に示すように、穴部４１ａを形成してあり、この穴部４１ａに支持部材４３の上端部を嵌合、配置し、その下端部をパネル本体４１の下端面より下方に突出させてある。
この支持部材４３は、台座付きシャフト４３ａと、これに螺合させた調整ナット４３ｂとから構成してあり、調整ナット４３ｂを回転させることによって、パネル本体４１の下端面と床面３ａとの距離を適宜調整することができ、パネル本体４１を固定することができるようになっている。
【００３２】
又、パネル本体４１の下端部に穴部を形成し、この穴部に弾圧部材を嵌合、配置すると共に、この弾圧部材の下端面に下枠部材を固着してもよい。この弾圧部材としては、小型エアダンパー、圧縮バネ等を採用することができ、下枠部材としては、木材又はアルミニウム材料を成形したものを採用することができる。
このような構成によれば、パネル本体４１の設置時、パネル本体４１の下端面と床面３ａとの距離が自動的に調整され、パネル本体４１を固定することができる。
【００３３】
又、パネル本体４１の左右側端部の高さ方向に、図３及び図５に示すように、凹部４１ｂを複数個所形成し、この凹部４１ｂに磁性部材４４を嵌合、固着し、パネル本体４１の側端面と磁性部材４４の外端面とを面一にしてある。
【００３４】
このような構成にすれば、図４に示すように、パネル本体４１，４１を幅方向に連結して設置した時、隣接するパネル本体４１，４１の側端部同士は磁力によって吸着し、密着する。よって、図５に示すように、パネル本体４１，４１，４１・・を幅方向に次々と連結し、確実に固定して、設置することができる。
【００３５】
さらに、パネル本体４１を、段ボールパネル接合部に磁性を有する部材を組み込む構成とすれば、パネル本体４１を補強することができると共に、磁性部材４４を吸着することができて、図４に示すように、パネル本体４１，４１を直角方向に連結し、確実に固定して、設置することができる。
【００３６】
以上のようにして、パネル本体４１，４１，４１・・・を適宜幅方向及び直角方向に連結すれば、図６に示すように、居住室１を居住者の好みの空間に完全に間仕切ることができる。
【００３７】
さらに、パネル本体４１の外表面に印刷化粧シートを貼着すれば、木材、石材等の素材に近いものとすることができ、装飾性を格段に向上させることができる。このような印刷化粧シートとして、硬質塩化ビニル樹脂製から成るダイノック（スリーエム・カンパニーの登録商標）シート等を採用することができる。
【００３８】
間仕切りパネル４として、空間を種々形態に区画できるよう、図７に示すように、複数種類の幅を有する間仕切りパネル４Ａ，４Ｂ，４Ｃを用意するのが好ましい。
【００３９】
さらに、本発明の間仕切り構造では、区画された空間に出入口を形成できるよう、図８及び図９に示すように、パネル本体５１と、上枠部材５２とから構成される、上枠付き間仕切りパネル５をも使用する。
【００４０】
パネル本体５１は、パネル本体４１と同様に、木材又は段ボールを成形して、矩形状平面板としたものである。木材としては、極力軽量な材料を使用するのが好ましいが、単板又は合板の何れを使用してもよい。又、段ボールとしては、剛性を十分に確保するため、高強度複層段ボール構造体を使用するのが好ましい。
【００４１】
パネル本体５１の上端部には、図９に示すように、支持部材５３を介してローラ５４を回転可能に支持してある。
【００４２】
又、パネル本体５１の下端部には、図９に示すように、凹部５１ａを形成し、この凹部５１ａ内に揺動防止部材５５を配設してある。
この揺動防止部材５５は、併設されるパネル本体４１に、支持部材５６によって支持してある。これによって、パネル本体５１を摺動させた時、大きく揺動するのを防止することができるので、パネル本体５１を円滑に摺動させることができる。
【００４３】
上枠部材５２としては、木材又はアルミニウム材料を成形したものを採用することができる。
【００４４】
そして、上枠部材５２の上端部には、図９に示すように、磁性部材５７をネジ等により締結して、固着してある。この磁性部材５７としては、円盤状磁石を採用して、上枠部材５２の長さ方向に複数固着してもよく、長尺の薄板状磁石を採用して、上枠部材５２の長さ方向に亘って固着してもよい。
磁性部材５７の材料としては、フェライト磁石、ネオジム磁石等、適宜磁石を採用して構わないが、特には、磁気エネルギーが高く、機械的強度にも優れるネオジム磁石を採用するのが好ましい。さらに、吸着力を高めるため、磁石を鉄鋼製キャップで包囲したキャップ磁石の形態で使用するのがより好ましい。
【００４５】
又、上枠部材５２の下端部には、図９に示すように、長さ方向に亘って案内溝部５２ａを形成してあり、この案内溝部５２ａ内にパネル本体５１の上端部に固定したローラ５４が配置され、長さ方向に転動できるようになっている。
このような構成によって、パネル本体５１は、上枠部材５２に吊下され、上枠部材５２に沿って摺動自在となっており、図１０に示すように、間仕切りパネル４に上枠付き間仕切りパネル５を併設又は連結して設置すれば、パネル本体５１が扉体となって、出入口を構成できるようになっている。
【００４６】
上枠付き間仕切りパネル５として、種々開口幅の出入口を形成できるよう、図８に示すように、複数種類の幅を有するパネル本体５１及び上枠部材５２から成る上枠付き間仕切りパネル５Ａ，５Ｂを用意するのが好ましい。
【００４７】
本発明の間仕切り構造を採用すれば、天井面２ａに固設した金属製プレート２１の適宜位置において、作業者が間仕切りパネル４を前方に傾斜させた状態から徐々に直立させるようにすれば、金属製プレート２１に間仕切りパネル４の上端部に固着した磁性部材４２が吸着して、間仕切りパネル４を仮に固定することができる。
【００４８】
次に、作業者が間仕切りパネル４の下端部の支持部材４３を操作して、パネル本体４１の下端面と床面３ａとの距離を適宜調整することによって、間仕切りパネル４を確実に固定して、床面３ａ上に立設することができる。
【００４９】
この際、弾圧部材を採用したものは、間仕切りパネル４の下端部の下枠部材は床面３ａに当接するから、弾圧部材の弾圧力に抗して一旦上方に移動する。
その後、間仕切りパネル４が直立状態となると、再度、弾圧部材の弾圧力によって下方に押圧され、移動して、間仕切りパネル４は、自動的に天井面２ａと床面３ａの間に確実に固定される。
【００５０】
さらに、天井面２ａに固設した金属製プレート２１の適宜位置において、間仕切りパネル４に併設して、作業者が上枠付き間仕切りパネル５を傾斜させた状態から徐々に直立させるようにすれば、金属製プレート２１に上枠部材５２の上端部に固着した磁性部材５７が吸着して、上枠付き間仕切りパネル５を仮に固定することができる。
【００５１】
そして、併設されるパネル本体４１に支持部材５６によって支持した揺動防止部材５５をパネル本体５１の下端部の凹部５１ａに配設すれば、パネル本体５１を上枠部材５２に吊下して、上枠部材５２に沿って摺動自在とすることができる。
【００５２】
以上のようにして、本発明の間仕切り構造によれば、図１１に示すように、居住空間に出入口を有する適宜形態の区画空間を画成することができる。
【００５３】
そして、間仕切りパネル４及び上枠付き間仕切りパネル５を適宜幅方向及び直角方向に連結すれば、図１２に示すように、居住室１を適宜位置に出入口を有する居住者の好みの空間に完全に間仕切ることができる。
【００５４】
ここで、図１２に示すように、パネル本体５１にパネル本体４１と異なる模様、色彩の
印刷化粧シートを貼着すれば、出入口が直ちに認識できると共に、変化に富んだ装飾間仕切りを実現することができる。
【００５５】
本発明の間仕切り構造によれば、複数種類の間仕切りパネル４Ａ，４Ｂ，４Ｃを適宜連結することによって、図１３（Ａ）に示すように、適宜形状の区画空間を画成することができ、図１３（Ｂ）に示すように、直角以外の壁面を有する区画空間を画成することもできる。
【００５６】
次に、図１４に示すような、システムキッチン１０２、洗面所１０３、浴室１０４及びトイレ１０５を既設した居住室１０１内を適宜空間に区画する場合について、具体的に説明する。
【００５７】
本発明の間仕切り構造によれば、居住室１０１内を間仕切りパネル４及び上枠付き間仕切りパネル５によって適宜区画して、図１５（Ａ）に示すように、ダイニング及びリビングルーム１０６、３つのベッドルーム１０７、クローゼット１０８及び玄関１０９を構成することができる。
【００５８】
又、図１５（Ｂ）に示すように、より広いダイニング及びリビングルーム１０６、２つのベッドルーム１０７、クローゼット１０８及び玄関１０９に加えて、納戸１１０を構成することもできる。
【００５９】
又、図１６（Ａ）に示すように、ダイニング及びリビングルーム１０６、１つのベッドルーム１０７、クローゼット１０８及び広い玄関１０９に加えて、応接室１１１を構成することもできる。
【００６０】
さらに、図１６（Ｂ）に示すように、間仕切りパネル４及び上枠付き間仕切りパネル５を斜めに配置して、特別な区画形状のダイニング及びリビングルーム１０６、１つのベッドルーム１０７、クローゼット１０８、納戸１１０、玄関兼用応接室１１１に加えて、書斎１１２を構成することもできる。
【００６１】
以上説明したように、本発明の間仕切り構造によれば、間仕切りパネル４及び上枠付き間仕切りパネル５を移動し、適宜位置に配置して固定するだけなので、居住者自身で即時に施工できると共に、居住室内にかなり自由な間取りを実現することができる。
【００６２】
又、比較的長期間に亘って居住区間を区画できる上、間仕切りパネル４及び上枠付き間仕切りパネル５は木材又は段ボールによって構成されているので、居住者に違和感を覚えさせない居住空間を構成することができる。
【００６３】
本発明の間仕切りパネル４及び上枠付き間仕切りパネル５は、木材又は段ボールによって構成され、軽量であると共に、磁性部材４２によって天井面２ａに吸着させ、支持部材４３を操作して固定させるだけなので、居住者自身が短時間で施工することができる。
【符号の説明】
【００６４】
２ａ  天井面
２１  金属製プレート
３ａ  床面
４  間仕切りパネル
４１  パネル本体
４１ａ  穴部
４２  磁性部材
４３  支持部材
４３ａ  台座付きシャフト
４３ｂ  調整ナット
５  上枠付き間仕切りパネル
５１  パネル本体
５１ａ  凹部
５２  上枠部材
５２ａ  案内溝部
５４  ローラ
５５  揺動防止部材
５７  磁性部材
【図１】
0006734660.tif 000002
【図２】
0006734660.tif 000003
【図３】
0006734660.tif 000004
【図４】
0006734660.tif 000005
【図５】
0006734660.tif 000006
【図６】
0006734660.tif 000007
【図７】
0006734660.tif 000008
【図８】
0006734660.tif 000009
【図９】
0006734660.tif 000010
【図１０】
0006734660.tif 000011
【図１１】
0006734660.tif 000012
【図１２】
0006734660.tif 000013
【図１３】
0006734660.tif 000014
【図１４】
0006734660.tif 000015
【図１５】
0006734660.tif 000016
【図１６】
0006734660.tif 000017